(57)【要約】【課題】駆動機構部を搭載する地板部分の剛性を高めたフォーカルプレンシャッタを提供する。【解決手段】露光用の開口部を有する地板と、露光用の開口部を有し、前記地板と所定間隔を隔てて配置された補助地板と、前記地板と前記補助地板との間に配置された羽根群と、前記地板上に配置された前記羽根群を駆動する駆動機構部と、を備え、前記地板は、前記駆動機構部を搭載する第１地板と、前記開口部が形成された第２地板とが連結されて形成されている、フォーカルプレンシャッタ【選択図】図２
2017211595.tif 000002
【特許請求の範囲】
【請求項１】
露光用の開口部を有する地板と、
露光用の開口部を有し、前記地板と所定間隔を隔てて配置された補助地板と、
前記地板と前記補助地板との間に配置された羽根群と、
前記地板上に配置された前記羽根群を駆動する駆動機構部と、を備え、
前記地板は、前記駆動機構部を搭載する第１地板と、前記開口部が形成された第２地板とが連結されて形成されている、
フォーカルプレンシャッタ。
【請求項２】
前記第２地板は前記第１地板よりも薄く形成されている、
請求項１に記載のフォーカルプレンシャッタ。
【請求項３】
前記第２地板は前記第１地板の半分以下の薄さで形成されている、
請求項２に記載のフォーカルプレンシャッタ。
【請求項４】
前記第１地板と前記第２地板とは異なる金属で形成されている、
請求項１〜請求項３のいずれか１項に記載のフォーカルプレンシャッタ。
【請求項５】
前記第２地板は、部分的に薄く形成されている、
請求項１〜請求項４のいずれか１項に記載のフォーカルプレンシャッタ。
【請求項６】
前記第１地板は、前記第２地板よりも高い剛性を備える素材で形成されている、
請求項１〜５のいずれか１項に記載のフォーカルプレンシャッタ。
【請求項７】
請求項１〜請求項６のいずれかのフォーカルプレンシャッタを備える撮像装置。
【発明の詳細な説明】
【技術分野】
【０００１】
本発明の一態様は、カメラなどの撮像装置に用いられるフォーカルプレンシャッタなどに関する。
【背景技術】
【０００２】
羽根群によって開口部（画枠）を開閉することで撮像素子またはフィルムに対する露光を行うフォーカルプレンシャッタには、地板と補助地板との間に形成された羽根室に配置された羽根群を駆動機構部により駆動することで開口部の開閉状態を変化させ、露光が行われる構成のものがある。このようなフォーカルプレンシャッタでは、地板の剛性を高めることに対する要求がある。例えば特許文献１には、合成樹脂材料で形成されたシャッタ地板の上に金属材料で形成された補助地板を配置することで、地板の剛性を高めている。
【先行技術文献】
【特許文献】
【０００３】
【特許文献１】特開２０１４−５９３４８号公報
【発明の概要】
【発明が解決しようとする課題】
【０００４】
しかしながら、従来の技術では地板全体の剛性を高めることはできるが、その分地板の厚みが増すこととなっていた。一方でフォーカルプレンシャッタを搭載するカメラなどの撮像装置では、羽根室のスペースを大きく確保することで良好な結果が得られることを発見したが、従来の技術では、羽根室のスペースを確保するために地板の厚みを抑えつつ地板の剛性を高めることが困難であった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
露光用の開口部を有する地板（１）と、
露光用の開口部を有し、前記地板と所定間隔を隔てて配置された補助地板と、
前記地板と前記補助地板との間に配置された羽根群（４、５）と、
前記地板上に配置された前記羽根群を駆動する駆動機構部（８）と、を備え、
前記地板は、前記駆動機構部を搭載する第１地板（１１）と、前記開口部が形成された第２地板（１２）とが連結されて形成されている、
フォーカルプレンシャッタである。
【０００７】
上記構成のフォーカルプレンシャッタによれば、地板を分けて形成しているため、第１地板と第２地板とをそれぞれ異なる素材や厚みで形成することが容易になる。そのため、駆動機構部を搭載した第１地板を、第２地板よりも高い剛性を有する素材を用い、及び／または第２地板よりも厚く形成することなどが可能となる。一方で、第２地板は第１地板よりも低い剛性及び／または薄さを有するよう形成可能である。これにより、駆動機構部を搭載した部分の剛性を高めつつ、羽根群が収容されるスペースを広く確保するよう形成することなどが可能となる。さらに、羽根群の収容スペースを広く確保することで、羽根群と地板などとの間の摺動による摩耗粉などのゴミの発生を抑制することなどが可能となる。
【０００８】
上記フォーカルプレンシャッタにおいて、好ましくは、
前記第２地板（１２）は前記第１地板（１１）よりも薄く形成されている。
【０００９】
上記構成のフォーカルプレンシャッタによれば、羽根群が収容された開口部周辺に位置する第２地板を、第１地板よりも薄く形成しているため、比較的広い羽根群の走行スペースを確保しながら、駆動機構部が搭載された第１地板部分の剛性を高めることができる。
【００１０】
また、上記フォーカルプレンシャッタにおいて、好ましくは、
前記第２地板は前記第１地板の半分以下の薄さで形成されている。
【００１１】
また、上記フォーカルプレンシャッタにおいて、好ましくは、
前記第１地板と前記第２地板とは異なる金属で形成されている。
【００１２】
上記構成のフォーカルプレンシャッタによれば、第２地板よりも高い剛性を備える素材を第１地板の素材として用いる構成とすることなどが可能となる。これにより、駆動機構部を搭載するために高い剛性が要求される第１地板部分の剛性を高めることが可能となる。また、第２地板部分は比較的低い剛性の素材で形成可能であるため、フォーカルプレンシャッタ全体のコストを削減することなどが可能となる。
【００１３】
また、上記フォーカルプレンシャッタにおいて、好ましくは、
前記第２地板は、部分的に薄く形成されている。
【００１４】
上記構成のフォーカルプレンシャッタによれば、第２地板において特に広いスペースが必要となる羽根群の摺動部分を薄く形成することなどが可能となる。
【００１５】
また、上記フォーカルプレンシャッタにおいて、好ましくは、
前記第１地板は、前記第２地板よりも高い剛性を備える素材で形成されている。
【００１６】
上記構成のフォーカルプレンシャッタによれば、駆動機構部をより安定的に支持可能な構成とすることが可能となる。
【００１７】
また、本発明は、上記いずれかのフォーカルプレンシャッタを備える、カメラなどの撮像装置を含む。
【００１８】
上記構成の撮像装置によれば、駆動機構部の搭載部分に高い剛性を備えつつ、羽根群の走行スペースを広く確保したフォーカルプレンシャッタを備えるため、耐久性の高い構成とすることなどが可能となる。また、羽根群と地板などとの間の摺動による摩耗粉などのゴミの発生を抑制した構成とすることができ、このような摩耗粉による撮像された画像の画質の低下を防止することなどが可能となる。
【図面の簡単な説明】
【００１９】
【図１】本実施形態のフォーカルプレンシャッタの平面図。
【図２】本実施形態の地板の平面図。
【図３】本実施形態の地板の断面図。
【図４】本実施形態の変形例の地板の断面図。
【発明を実施するための形態】
【００２０】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２１】
＜１．実施形態＞
本実施形態のフォーカルプレンシャッタは、地板（シャッタ地板）が、駆動機構部を搭載する第１地板と、開口部が形成された第２地板とが連結されることで形成されており、それぞれが異なる厚みと素材とで形成されていることを特徴の一つとしている。本実施形態のフォーカルプレンシャッタについて具体的に説明する。
【００２２】
図１及び図２は、本実施形態のフォーカルプレンシャッタの平面図である。図２は、本実施形態のフォーカルプレンシャッタにおける地板の平面図である。図３は、本実施形態の地板の断面図である。
【００２３】
図１に示されるように、本実施形態のフォーカルプレンシャッタは、地板１、補助地板（図示せず）、中間板３、先羽根群４、後羽根群５、及び駆動機構部８などを含んで構成される。先羽根群４及び後羽根群５を総称して「羽根群」と呼ぶことがある。駆動機構部８は、アームを介して先羽根群４及び後羽根群５に連結されており、駆動機構部８が動作すると、その駆動力はアームを介して先羽根群４及び後羽根群５に伝達され、これによって先羽根群４と後羽根群５とが動作することで露光開口が開閉される。
【００２４】
＜地板１＞
地板１（シャッタ地板）は、フォーカルプレンシャッタの基板部分であって、露光開口（画枠）として機能する矩形状の開口部１ａが形成されている。図２に示されるように、地板１は、駆動機構部８を搭載する部分を含む第１地板１１と、開口部１ａが形成された部分を含む第２地板１２とに分離されて形成されており、第１地板１１と第２地板１２とは、連結部１３及び１４で連結されている。より具体的には、第１地板１１には連結孔１３ａ及び１４ａ画形成されており、第２地板１２には連結孔１３ｂ及び１４ｂが形成されている。図３の断面図に示されるように、第１地板１１と第２地板１２とは、連結孔１３ａと１３ｂとに挿入された連結具１３ｃと、連結孔１４ａと１４ｂとに挿入された連結具１４ｃとによって連結されている。例えば、連結具１３ｃ及び１４ｃは、リベットなどであり、加締められることで第１地板１１と第２地板１２とが連結されている。ただし、連結具１３ｃ及び１４ｃはリベットなどに限定されるものではなく、連結可能な他の部材を用いても良い。
【００２５】
第１地板１１は、駆動機構部８を搭載する部分であるため、種々の駆動部材を備えるため、動作時の振動などに耐えられる高い剛性を備える必要がある。そのため、第１地板１１は、第２地板１２よりも高い剛性を備える素材で形成されている。第１地板１１は、例えばアルミニウム、または炭鋼材（ＳＫ）などで形成される。また、第１地板１１は、第２地板１２よりも厚く形成されている。
【００２６】
一方で、第２地板１２は、羽根群を収容する部分であるため、第１地板１１ほどの高い剛性は要求されない。ただし、羽根群を収容するスペース（厚さ方向の広さ）を広く（厚く）確保することで、羽根群の動作が良好になることが判っている。そこで、図３の断面図に示されるように、第２地板１２を第１地板１１よりも薄く形成することで、羽根群の収容スペースを広くするよう構成されている。また、第２地板１２は第１地板１１ほどの高い剛性が必要でない場合が多いため、第２地板１２は第１地板１１よりも低い剛性の素材で形成されてもよい。例えば、第２地板１２は、チタンまたはステンレスなどで形成される。ただし、第２地板１２は第１地板１１と同じアルミニウムまたは炭鋼材（ＳＫ）などで形成されても良い。また、第１地板１１および第２地板１２の素材は樹脂であってもよい。さらに、第１地板１１および第２地板１２のいずれか一方が樹脂製であり、他方が金属製であってもよい。
【００２７】
＜補助地板＞
補助地板（図示せず）は、地板１と対向する位置に、地板１に対して所定の間隔を隔てて取り付けられる。補助地板には、地板１に形成された開口部１ａと類似した矩形状の開口部が形成されている。地板１と補助地板との間に画定された空間は、中間板３、先羽根群４、及び後羽根群５などが収容される羽根室となる。
【００２８】
＜中間板３＞
中間板３は、上記のように、地板１と補助地板とにより画定された羽根室に収容される。中間板３には、地板１に形成された開口部１ａと類似した矩形状の開口部３ａが形成される。中間板３は、羽根室内において先羽根群４と後羽根群５とが収容される空間を区別するために配置される。例えば、地板１と中間板３との間には先羽根群４が配置され、補助地板と中間板３との間には後羽根群５が配置されることとなる。
【００２９】
地板１、補助地板、及び中間板３に形成された開口部が重なる領域が、フォーカルプレンシャッタにおける露光用の開口として機能する露光開口（画枠）となる。露光開口の被写体とは逆側には、例えばＣ−ＭＯＳやＣＣＤなどの光電変換素子が撮像素子（図示せず）として配置されている。この光電変換素子は、露光開口及びレンズ等を通過して被写体側から通過してきて光が照射されることで、光を電気信号に変換する機能を有する素子であるが、Ｃ−ＭＯＳやＣＣＤに限定されるものではない。露光開口（画枠）は、駆動機構部８により駆動された先羽根群４及び後羽根群５が移動することで開閉状態が変化し、露光開口が開放状態のときに被写体側からの光を撮像素子側に通過させる。被写体側からこの露光開口を通過した入射光が、フォーカルプレンシャッタの先に配置された撮像素子に到達し、撮像素子が受光した光を電気信号に変換して制御部（図示せず）などに出力することで、撮像が行われる。なお、上記の撮像素子に代えてフィルムなどが配置されていてもよく、これらの撮像素子やフィルムなどを総称して本発明においては撮像部と呼ぶことがある。
【００３０】
＜先羽根群４及び後羽根群５＞
先羽根群４及び後羽根群５は、それぞれ駆動機構部８により駆動され、開口部１ａ及び３ａにより画定される露光開口（画枠）を開閉するよう動作する。先羽根群４及び後羽根群５は、それぞれ複数枚の短冊状（露光開口より長手方向に細長い矩形状または略矩形状）の羽根により構成され、アームを介して駆動機構部８に連結される。すなわち、駆動機構部８で発生した動力は、アームを介して先羽根群４及び後羽根群５に伝達され、これによって先羽根群４及び後羽根群５が走行動作をすることとなる。
【００３１】
＜駆動機構部８＞
駆動機構部８は、第１地板１１上に配置され、電磁石またはバネ等を利用した動力によって、羽根群を動作させるよう構成される。ユーザによって、カメラ等の撮像装置のレリーズが行われると、駆動機構部８が動作し、その動力はアームを介して先羽根群４及び後羽根群５に伝達される。これにより、先羽根群４及び後羽根群５が動作（走行）して撮像素子に対する露光が行われる。
【００３２】
本実施形態のフォーカルプレンシャッタでは、上記のように、駆動機構部８を搭載する第１地板１１と、開口部１ａが形成された第２地板１２とが連結された地板１を備えているため、第１地板１１と第２地板１２とをそれぞれ異なる素材や厚みで形成することが容易になる。そのため、駆動機構部８を搭載した第１地板１１を、第２地板１２よりも高い剛性を有する素材を用いて、及び／または第２地板１２よりも厚く形成することなどが可能となる。一方で、第２地板１２は第１地板１１よりも低い剛性及び／または薄さを有するよう形成可能である。これにより、駆動機構部８を搭載した部分の剛性を高め、羽根群が収容されるスペースを広く確保するよう形成することなどが可能となる。さらに、羽根群の収容スペースを広く確保することで、羽根群と地板１、補助地板、または中間板３などとの間の摺動による摩耗粉などのゴミの発生を抑制することなどが可能となる。
【００３３】
また、本実施形態のフォーカルプレンシャッタでは、第２地板１２が第１地板１１よりも薄く形成されているため、比較的広い羽根群の走行スペースを確保しながら、駆動機構部８が搭載された第１地板１１の剛性を高めることができる。
【００３４】
また、本実施形態のフォーカルプレンシャッタでは、第２地板１２よりも高い剛性を備える素材を第１地板１１の素材として用いる構成とすることなどが可能となる。これにより、駆動機構部８を搭載するために高い剛性が要求される第１地板１１の剛性を高めることが可能となる。また、第２地板１２は比較的低い剛性の素材で形成可能であるため、フォーカルプレンシャッタ全体のコストを削減することなどが可能となる。
【００３５】
＜変形例＞
また、本実施形態の変形例では、図４に示されるように、第２地板１２の羽根群と接触しやすい部分を薄型形成領域１２ａとして薄く形成している。この薄型形成領域１２ａは、例えば、羽根群とアームとの連結部分であって、連結具により厚みを有している部分などに対応する領域に形成されている。
【００３６】
このように、本変形例の構成では、特に広いスペースが必要となる羽根群の摺動部分に対応した第２地板１２の部分を、薄型形成領域１２ａとして薄く形成することが可能となる。
【００３７】
＜２．補足事項＞
以上、本発明の実施形態についての具体的な説明を行った。上記説明は、あくまで一実施形態としての説明であって、本発明の範囲はこの一実施形態に留まらず、同様の技術思想に基づいて当業者が把握可能な範囲にまで広く解釈されるものである。
【００３８】
上記実施形態では、第１地板１１と第２地板１２とは、厚みと素材との双方が異なる例を挙げて説明したが、第１地板１１と第２地板１２とは、厚みと素材との一方のみが異なるよう形成しても良い。このように、第１地板１１と第２地板１２とが、厚みと素材との一方のみが異なるよう形成した場合であっても一定の効果が得られる。
【００３９】
また、上記実施形態では、地板１、補助地板（図示せず）、及び中間板３にそれぞれ矩形状の開口部が形成されている例について説明したが、これらの地板１、補助地板、及び中間板３に形成される開口部は矩形状、または略矩形状に限定されるものではない。すなわち、これらの開口部は、方形状、または略方形状に形成されてもよいし、その他の形状であってもよい。さらに、地板１、補助地板、及び中間板３に形成された開口部は、それぞれ異なる形状であっても良い。
【００４０】
また、上記実施形態では本発明で特徴的な部分のみについて説明したが、本発明のフォーカルプレンシャッタは、従来のフォーカルプレンシャッタが有する種々の構成をさらに備えている。
【産業上の利用可能性】
【００４１】
本発明のフォーカルプレンシャッタは、高い耐久性を備えるカメラなどの撮像装置の構成として利用される。
【符号の説明】
【００４２】
１…地板
１ａ…開口部
１１…第１地板
１２…第２地板
１２ａ…薄型形成領域
１３…連結部
１３ａ、１３ｂ、１４ａ、１４ｂ…連結孔
１３ｃ、１４ｃ…連結具
３…中間板
３ａ…開口部
４…先羽根群
５…後羽根群
８…駆動機構部
【図１】
2017211595.tif 000003
【図２】
2017211595.tif 000004
【図３】
2017211595.tif 000005
【図４】
2017211595.tif 000006